(57)【要約】【課題】確実に、収容部に収容される複数本の芯のうち一本の芯を取出口から取出すことができる替芯ケースを提供することを課題とする。【解決手段】収容部２に複数本の芯が収容され、収容部２に収容される芯を取出口３から取出すように構成される、替芯ケース１であって、取出口３側に移動して収容部２に収容される複数本の芯のうち一本の芯を取出口３に案内する案内部４と、案内部４によって案内される一本の芯の移動経路上に位置して一本の芯が取出口３に案内されないように遮蔽する遮蔽部５と、案内部４とともに移動するように構成され、案内部４が移動したときに遮蔽部５を押圧する押圧部６と、を備え、案内部４が取出口３側に移動すると、遮蔽部５が押圧部６に押圧されて案内部４によって案内される一本の芯の移動経路上に位置しなくなり、案内部４が一本の芯を取出口３に案内するように構成されるものである。【選択図】図２
2014162158.tif 000002
【特許請求の範囲】
【請求項１】
収容部に複数本の芯が収容され、前記収容部に収容される芯を取出口から取出すように構成される、替芯ケースであって、
前記取出口側に移動して前記収容部に収容される複数本の芯のうち一本の芯を前記取出口に案内する案内部と、
前記案内部によって案内される一本の芯の移動経路上に位置して、前記案内部によって前記一本の芯が前記取出口に案内されないように遮蔽する遮蔽部と、
前記案内部とともに移動するように構成され、前記案内部が移動したときに前記遮蔽部を押圧する押圧部と、
を備え、
前記案内部が前記取出口側に移動すると、前記遮蔽部が前記押圧部に押圧されて前記案内部によって案内される一本の芯の移動経路上に位置しなくなり、前記案内部が前記一本の芯を前記取出口に案内するように構成される、替芯ケース。
【請求項２】
前記遮蔽部として構成されるとともに、前記押圧部を付勢して前記取出口から芯が取出された後に前記押圧部および前記案内部を前記取出口側から前記取出口の反対側に移動させる付勢部として構成される、片体を備える、
請求項１に記載の替芯ケース。
【請求項３】
前記案内部として構成されるものであり、前記収容部内と前記収容部外とを連通させるように構成されるとともに前記収容部に収容される複数本の芯のうち一本の芯が挿通可能に構成される案内孔を備える、
請求項１または請求項２に記載の替芯ケース。
【発明の詳細な説明】
【技術分野】
【０００１】
本発明は、替芯ケースの技術に関する。
【背景技術】
【０００２】
従来、シャープペンシル用の芯（替芯）が複数本収容される替芯ケースに関する技術は、種々知られている。
前記替芯ケースは、収容部に複数本の芯が収容され、前記収容部に収容される芯を取出口から取出すように構成される（特許文献１参照）。
【０００３】
また、前記替芯ケースには、収容部の芯を取出口に案内する案内部と、芯が取出口に案内されないように遮蔽する遮蔽部と、を備え、芯を取出口から取出すときに、遮蔽部を移動させて、案内部によって一本の芯が取出口に案内されるように構成されるものがある（特許文献１参照）。
【先行技術文献】
【特許文献】
【０００４】
【特許文献１】登録実用新案第３０５１４３６号公報
【発明の概要】
【発明が解決しようとする課題】
【０００５】
しかしながら、前記替芯ケースは、複数本の芯を収容部から取出口に同時に供給して、当該複数本の芯のうち一本の芯を取出口から取出すように構成される。
このため、前記替芯ケースでは、収容部から供給された複数本の芯が取出口（取出口近傍）で詰る場合がある。
そして、前記替芯ケースでは、このように複数本の芯が取出口に供給されて取出口で詰まることによって、取出口から一本の芯を取出ことができない場合があった。
【０００６】
本発明は以上の如き状況に鑑みてなされたものであり、確実に、収容部に収容される複数本の芯のうち一本の芯を取出口から取出すことができる替芯ケースを提供することを課題とする。
【課題を解決するための手段】
【０００７】
本発明の解決しようとする課題は以上の如くであり、次にこの課題を解決するための手段を説明する。
【０００８】
即ち、請求項１においては、収容部に複数本の芯が収容され、前記収容部に収容される芯を取出口から取出すように構成される、替芯ケースであって、前記取出口側に移動して前記収容部に収容される複数本の芯のうち一本の芯を前記取出口に案内する案内部と、前記案内部によって案内される一本の芯の移動経路上に位置して、前記案内部によって前記一本の芯が前記取出口に案内されないように遮蔽する遮蔽部と、前記案内部とともに移動するように構成され、前記案内部が移動したときに前記遮蔽部を押圧する押圧部と、を備え、前記案内部が前記取出口側に移動すると、前記遮蔽部が前記押圧部に押圧されて前記案内部によって案内される一本の芯の移動経路上に位置しなくなり、前記案内部が前記一本の芯を前記取出口に案内するように構成されるものである。
【０００９】
請求項２においては、前記遮蔽部として構成されるとともに、前記押圧部を付勢して前記取出口から芯が取出された後に前記押圧部および前記案内部を前記取出口側から前記取出口の反対側に移動させる付勢部として構成される、片体を備えるものである。
【００１０】
請求項３においては、前記案内部として構成されるものであり、前記収容部内と前記収容部外とを連通させるように構成されるとともに前記収容部に収容される複数本の芯のうち一本の芯が挿通可能に構成される案内孔を備えるものである。
【発明の効果】
【００１１】
本発明の効果として、以下に示すような効果を奏する。
【００１２】
即ち、本発明によれば、確実に、収容部に収容される複数本の芯のうち一本の芯を取出口から取出すことができる。
【図面の簡単な説明】
【００１３】
【図１】本発明の実施形態に係る替芯ケースの全体的な構成を示した斜視図。
【図２】同じく替芯ケースの内部構造を示した平面図。
【図３】同じく替芯ケースの内部構造を示した背面図。
【図４】同じく替芯ケースのケース部材を示した斜視図。
【図５】同じく替芯ケースの移動部材を示した斜視図。
【図６】同じく替芯ケースのヘッド部材を示した斜視図。
【図７】同じく替芯ケースの内部構造を示した拡大平面図。
【図８】同じく替芯ケースの内部構造を示した拡大平面図。
【発明を実施するための形態】
【００１４】
次に、本発明の実施形態に係る替芯ケース１について図１から図８を用いて説明する。
【００１５】
替芯ケース１は、シャープペンシル用の芯（替芯）が複数本収容されるものである。
図１乃至図３に示すように、替芯ケース１は、収容部２と、取出口３と、案内部４と、遮蔽部５と、押圧部６と、操作部８と、を備え、収容部２に複数本の芯が収容され、収容部２に収容される芯を取出口３から取出すように構成される。
【００１６】
替芯ケース１の収容部２は、複数本の芯が収容されるように構成される。
取出口３は、収容部２に収容される複数本の芯が取出されるように構成される。
案内部４は、取出口３側に移動して、収容部２に収容される複数本の芯のうち一本の芯を取出口３に案内するように構成される。
遮蔽部５は、案内部４によって案内される一本の芯の移動経路上に位置して、案内部４によって一本の芯が取出口３に案内されないように遮蔽するように構成される。
押圧部６は、案内部４とともに移動するように構成され、案内部４が移動したときに遮蔽部５を押圧するように構成される。
付勢部７は、押圧部６を取出口３の反対側に付勢して、取出口３から芯が取出された後に押圧部６および案内部４を取出口３側から取出口３の反対側に移動させるように構成される。
操作部８は、案内部４の取出口３側への移動の操作が行われるように構成される。
【００１７】
替芯ケース１は、操作部８が操作されることによって案内部４が移動するように作用されて芯を取出す姿勢となり、また、操作部８による案内部４が移動するように作用している状態が解消されたときに芯が収容される状態が保持される姿勢となるように構成される。
替芯ケース１は、操作部８が操作されて案内部４とともに押圧部６が取出口３側に移動すると、押圧部６に押圧されて案内部４によって案内される一本の芯の移動経路上に遮蔽部５が位置しなくなり、案内部４が前記一本の芯を取出口３に案内して、芯を取出す姿勢となるように構成される。
替芯ケース１は、取出口３から芯が取出された後に操作部８による案内部４が移動するように作用している状態が解消されると、付勢部７によって押圧部６が取出口３の反対側に付勢されることから、押圧部６および案内部４が取出口３側から取出口３の反対側に移動し、遮蔽部５が案内部４によって案内される一本の芯の移動経路上に位置して案内部４によって一本の芯が取出口３に案内されないように遮蔽し、芯が収容される状態が保持される姿勢となるように構成される。
【００１８】
次に、替芯ケース１を構成する具体的な部材とともに替芯ケース１について説明する。
替芯ケース１は、ケース部材１０と、移動部材２０と、ヘッド部材３０と、具備して構成される。
【００１９】
図１乃至図４に示すように、替芯ケース１のケース部材１０は、透明に構成されるものであり、軸心方向の一端と他端とがそれぞれ開口する略四角筒状に構成される。
ケース部材１０は、一対の突出片１１と、貫通孔１２と、ストッパ１３と、を備えて構成される。
【００２０】
替芯ケース１におけるケース部材１０の一対の突出片１１は、ケース部材１０の一端の開口部から軸心方向に沿ってそれぞれ突出するように構成される。ケース部材１０の一対の突出片１１は、ケース部材１０の平面部と底面部（対向する面）からそれぞれ突出するように構成される。
ケース部材１０の突出片１１は、平板状に構成される。
【００２１】
替芯ケース１におけるケース部材１０の貫通孔１２は、一対の突出片１１のうち一方の突出片１１（平面部側の突出片１１）に形成される。ケース部材１０の貫通孔１２は、一対の突出片１１のうち一方の突出片１１を貫通するように構成される。
【００２２】
替芯ケース１におけるケース部材１０のストッパ１３は、移動部材２０がケース部材１０の他端側の開口から脱落することを防止するように構成される。
ケース部材１０のストッパ１３は、ケース部材１０の他端の開口部に配置される。ケース部材１０のストッパ１３は、他端の開口部において内側に突出するように構成される。
【００２３】
図１乃至図３、または、図５に示すように、替芯ケース１の移動部材２０は、略平板状に構成される。移動部材２０は、平面視略長方形の部材の長手方向の一方の縁部が凸状に形成されるように構成される。
移動部材２０は、その軸心方向（長手方向）とケース部材１０の軸心方向とが一致するようにケース部材１０内に配置される。移動部材２０は、移動部材２０の軸心方向の一端側をケース部材１０の一端側に、移動部材２０の軸心方向の他端側をケース部材１０の一端側にそれぞれ向けるようにして配置される。
移動部材２０は、ケース部材１０内をケース部材１０の軸心方向に沿って（ケース部材１０の他端の開口側から一端の開口側、また、ケース部材１０の一端の開口側から他端の開口側に）移動可能に構成される。
【００２４】
替芯ケース１における移動部材２０は、底板２１と、枠体２２と、突出体２３と、案内孔２４と、案内溝２５と、を備えて構成される。
移動部材２０は、底板２１が平面視略四角形状に形成され、底板２１（底板２１の四方）を囲むようにして底板２１の縁部から枠体２２が上方に突出するように配置されて構成される。移動部材２０は、底板２１上および枠体２２の内側において、移動部材２０の長手方向と芯の軸心とが平行するように複数本の芯が配置可能に構成される。
替芯ケース１では、移動部材２０の底板２１と、枠体２２と、ケース部材１０の内側の面と、で囲まれて形成される空間が収容部２として構成される。
【００２５】
移動部材２０は、枠体２２の他端側の部分（移動部材２０の他端側の部分）が他の部分に比べて肉厚状に形成される。
移動部材２０の枠体２２の他端側の部分は、ケース部材１０の他端の開口からケース部材１０の外側に突出するように配置される。
替芯ケース１では、移動部材２０の他端側の部分（枠体２２におけるケース部材１０の他端の開口から突出する部分）が操作部８として構成される。
【００２６】
替芯ケース１における移動部材２０の突出体２３は、略平板状に構成されて、底板２１に連接されるように構成される。
移動部材２０の突出体２３は、底板２１における移動部材２０の長手方向の一方の縁部から移動部材２０の長手方向に突出するように構成される。移動部材２０の突出体２３は、移動部材２０の一端側（ケース部材１０の突出片１１側）に突出するように構成される。
移動部材２０の突出体２３は、平面視で略山形状に構成される。移動部材２０の突出体２３は、その突出方向の中途部から、突出する方向（先端側）に行くに従って、幅が狭くなるように構成される。
替芯ケース１では、突出体２３（突出体２３の外側の面）が押圧部６として構成される。
【００２７】
替芯ケース１における移動部材２０の案内孔２４は、移動部材２０が取出口３側に移動することによって取出口３側に移動して、収容部２に収容される複数本の芯のうち一本の芯を取出口３に案内するように構成される。
移動部材２０の案内孔２４は、枠体２２に形成される。
移動部材２０の案内孔２４は、枠体２２の内面から外面に貫通するように形成される。移動部材２０の案内孔２４は、収容部２内と収容部２外とを連通させるように構成される。
移動部材２０の案内孔２４は、移動部材２０の枠体２２の他端側の部分に形成される。
移動部材２０の案内孔２４は、枠体２２と底板２１との境界部分に配置される。移動部材２０の案内孔２４は、移動部材２０の短手方向中央（替芯ケース１の短手方向中央）に形成される。
移動部材２０の案内孔２４は、収容部２に収容される複数本の芯のうち一本の芯が挿通可能（通過可能）に構成される。移動部材２０の案内孔２４は、その径（最も狭い幅の部分）が一本分の芯の直径よりも大きく且つ二本分の芯の直径よりも小さく形成されて構成される。
替芯ケース１では、移動部材２０の案内孔２４は、案内部４として構成される。
【００２８】
替芯ケース１における移動部材２０の案内溝２５は、移動部材２０が取出口３側に移動することによって取出口３側に移動して、収容部２に収容される複数本の芯のうち一本の芯を取出口３に案内するように構成される。
移動部材２０の案内溝２５は、直線状に形成される。
移動部材２０の案内溝２５は、収容部２内において収容部２に収容される複数本の芯のうち一本の芯が配置可能に構成される。移動部材２０の案内溝２５は、その溝幅が一本分の芯の直径よりも大きく且つ二本分の芯の直径よりも小さく形成されて構成される。
移動部材２０の案内溝２５は、底板２１（収容部２内）と突出体２３とに形成される。移動部材２０の案内溝２５は、底板２１から突出体２３の先端に至るように形成される。移動部材２０の案内溝２５は、案内孔２４を介して底板２１（収容部２）と突出体２３（移動部材２０の先端）とに渡って形成される。
移動部材２０の案内溝２５は、収容部２に収容される芯のうち一本の芯を、これに配置した状態で、案内孔２４に挿通させて案内孔２４を介して突出体２３側（取出口３側）に移動（スライド）可能に構成される。
移動部材２０の案内溝２５は、移動部材２０の短手方向中央（替芯ケース１の短手方向中央）に配置される。
移動部材２０の案内溝２５は、移動部材２０の長手方向に沿って形成される。移動部材２０の案内溝２５は、芯の軸心が移動部材２０の移動方向に平行するように形成される。
替芯ケース１では、移動部材２０の案内溝２５は、案内部４として構成される。
【００２９】
図１乃至図３、または、図６に示すように、替芯ケース１のヘッド部材３０は、ケース部材１０に取付けられるように構成される。ヘッド部材３０は、ケース部材１０の一対の突出片１１に挟まれるように配置される。
ヘッド部材３０は、支持体３１と、嵌挿体３２と、凸体３３と、壁体３４と、切欠３５と、片体３６と、を備えて構成される。
【００３０】
替芯ケース１におけるヘッド部材３０の支持体３１は、平板状に構成される。
ヘッド部材３０の支持体３１は、壁体３４と、片体３６と、を支持するように構成される。
ヘッド部材３０の支持体３１は、移動部材２０の突出体２３の上方（移動部材２０の突出体２３における案内溝２５が形成される方向）位置するように構成される。
【００３１】
替芯ケース１におけるヘッド部材３０の嵌挿体３２は、支持体３１の縁部からケース部材１０側に突出するように構成される。
ヘッド部材３０の嵌挿体３２は、ケース部材１０の一端の開口に嵌挿されるように構成される。
ヘッド部材３０の嵌挿体３２は、略コ字状に形成されて、移動部材２０の突出体２３における案内溝２５が形成される側（移動部材２０の突出体２３側）と、移動部材２０の突出体２３の外側（移動部材２０が移動する方向と直交する方向の外側）と、を囲むように構成される。
【００３２】
替芯ケース１におけるヘッド部材３０の凸体３３は、ケース部材１０の貫通孔１２に嵌挿可能に構成される。
ヘッド部材３０の凸体３３は、上方（ケース部材１０の貫通孔１２側）に突出するように構成される。
【００３３】
替芯ケース１では、ヘッド部材３０の嵌挿体３２がケース部材１０の一端の開口に嵌挿されるとともに、ヘッド部材３０の凸体３３がケース部材１０の貫通孔１２に嵌挿されることによって、ヘッド部材３０がケース部材１０に固定して取付けられる。
替芯ケース１では、このようにヘッド部材３０が取付けられることによって、移動部材２０がケース部材１０の一端の開口から脱落することが防止される。
【００３４】
替芯ケース１におけるヘッド部材３０の壁体３４は、支持体３１に支持されるように配置される。
ヘッド部材３０の壁体３４は、板状に構成される部材の両端が支持体３１の左右縁部に連接されるように構成される。
ヘッド部材３０の壁体３４は、支持体３１の左右縁部からそれぞれ凸体３３が突出する方向と反対側に突出するように構成される。
ヘッド部材３０の壁体３４は、移動部材２０の突出体２３の外側に位置するように構成される。
ヘッド部材３０の壁体３４は、アーチ状に構成される。
ヘッド部材３０の壁体３４は、ケース部材１０の一対の突出片１１の縁部間に位置するように構成される。
ヘッド部材３０の壁体３４は、支持体３１の前方（支持体３１における嵌挿体３２が突出する方向と反対側）および支持体３１の側方とを囲むように構成される。
ヘッド部材３０の壁体３４は、その内面と支持体３１との間に所定の間隔が空くように配置される。
【００３５】
替芯ケース１におけるヘッド部材３０の切欠３５は、壁体３４が切欠かれるようにして形成される。
ヘッド部材３０の切欠３５は、壁体３４におけるヘッド部材３０の凸部が形成される側と反対側の縁部に形成される。ヘッド部材３０の切欠３５は、替芯ケース１の短手方向中央に形成される。
ヘッド部材３０の切欠３５は、少なくともその幅が一本分の芯の直径よりも大きく形成されて構成される。
替芯ケース１では、ヘッド部材３０の切欠３５と、ケース部材１０の突出片１１（一対の突出片１１のうち貫通孔１２が形成されない側の突出片１１）の内側の面と、で囲まれて形成される空間が取出口３として構成される。
【００３６】
替芯ケース１におけるヘッド部材３０の一対の片体３６は、それぞれ弾性を有する板状に（板バネで）構成される。
ヘッド部材３０の片体３６は、支持体３１の左右縁部から凸体３３が突出する方向と反対側に突出するように構成される。
ヘッド部材３０の片体３６は、支持体３１と壁体３４との間に位置するように構成される。ヘッド部材３０の片体３６は、壁体３４の内側に位置するように構成される。ヘッド部材３０の片体３６は、支持体３１の外側に位置するように構成される。ヘッド部材３０の片体３６は、支持体３１の外側の面に沿って（支持体３１の縁部の形状に合わせて）湾曲するように形成される。ヘッド部材３０の片体３６は、移動部材２０の突出体２３の外側に位置するように構成される。
ヘッド部材３０の片体３６は、その基端部が支持体３１の左右縁部に連接されるように構成される。ヘッド部材３０の片体３６は、その基端部が移動部材２０の突出体２３の外側（移動部材２０が移動する方向と直交する方向の外側）に位置するように構成される。
ヘッド部材３０の片体３６は、その先端部が支持体３１の先端部（壁体３４側端部）近傍に位置するように構成される。ヘッド部材３０の片体３６は、その先端部が壁体３４（切欠３５）の近傍に位置するように構成される。ヘッド部材３０の片体３６は、その先端部が移動部材２０における長手方向の一方の縁部近傍に位置するように構成される。
【００３７】
替芯ケース１では、ヘッド部材３０の一対の片体３６のうち一方が長片体３７として、一対の片体３６のうち他方が短片体３８としてそれぞれ構成される。
ヘッド部材３０の長片体３７は、その長さ（基端部から先端部までの長さ）が、短片体３８の長さ（基端部から先端部までの長さ）よりも長く構成される。
ヘッド部材３０の長片体３７は、その先端部が替芯ケース１の短手方向中央よりも短片体３８側に位置するように構成される。
ヘッド部材３０の長片体３７は、ヘッド部材３０の切欠３５と移動部材２０の案内孔２４とを結ぶ直線上に位置するように構成される。ヘッド部材３０の長片体３７は、ケース部材１０の案内溝２５の軸心の延長線上に位置するように構成される。ヘッド部材３０の長片体３７は、移動部材２０の案内溝２５および案内孔２４（案内部４）によって案内される一本の芯の移動経路上に位置するように構成される。ヘッド部材３０の長片体３７は、移動部材２０の案内溝２５および案内孔２４（案内部４）によって一本の芯が取出口３に案内されないように遮蔽するように構成される。
替芯ケース１では、ヘッド部材３０の長片体３７が遮蔽部５として構成される。
【００３８】
このように構成される替芯ケース１では、図７または図８に示すように、ヘッド部材３０の長片体３７（遮蔽部５）が、移動部材２０の案内溝２５および案内孔２４（案内部４）によって案内される一本の芯の移動経路上に位置して、移動部材２０の案内溝２５および案内孔２４（案内部４）によって一本の芯が取出口３に案内されないように遮蔽し、芯が収容される状態が保持される。
また、替芯ケース１では、芯を取出す姿勢として、収容部２に収容される複数本の芯のうち一本の芯を、移動部材２０の案内溝２５（案内部４）に配置し、取出口３側にスライド（移動）させて移動部材２０の案内孔２４に挿通させ、当該芯の先端が突出体２３の先端（ヘッド部材３０側）に至るようにする。
替芯ケース１では、このような状態で、移動部材２０の他端側の部分（操作部８）を、移動部材２０の一端側（取出口３側）に押込む（操作する）ことによって、移動部材２０（案内部４および押圧部６）を取出口３側への移動させる。
替芯ケース１では、このように移動部材２０の他端側の部分（操作部８）が押込まれて移動部材２０（案内部４および押圧部６）が取出口３側に移動すると、移動部材２０の突出体２３（押圧部６）が長片体３７（遮蔽部５）に当接して長片体３７（遮蔽部５）を押圧することとなる。
替芯ケース１では、ヘッド部材３０の長片体３７（遮蔽部５）が、このように移動部材２０の突出体２３（押圧部６）に押圧されて、湾曲した状態が均されるようにヘッド部材３０の壁体３４側に変形（弾性変形）して、一本の芯（移動部材２０の案内溝２５（案内部４）に配置される一本の芯）の移動経路上に位置しなくなる。また、このように取出口３側に移動したときに、移動部材２０は、移動部材２０の突出体２３の先端（案内溝２５の先端（案内溝２５の取出口３側端））が取出口３近傍に位置する。
替芯ケース１では、ヘッド部材３０の長片体３７（遮蔽部５）をこのように一本の芯の移動経路上に位置しない状態にし、移動部材２０の突出体２３の先端を取出口３近傍に位置させて、移動部材２０の案内溝２５（案内部４）に案内溝２５に配置される一本の芯が取出口３に案内されて取出口３から取出されるようにする。
【００３９】
以上のように、取出口３側に移動して収容部２に収容される複数本の芯のうち一本の芯を取出口３に案内する案内部４（移動部材２０の案内溝２５および案内孔２４）と、案内部４によって案内される一本の芯の移動経路上に位置して、案内部４によって一本の芯が取出口３に案内されないように遮蔽する遮蔽部５（ヘッド部材３０の長片体３７）と、案内部４とともに移動するように構成され、案内部４が移動したときに遮蔽部５を押圧する押圧部６（移動部材２０の突出体２３）と、を備え、案内部４が取出口３側に移動すると、遮蔽部５が押圧部６に押圧されて案内部４によって案内される一本の芯の移動経路上に位置しなくなり、案内部４が一本の芯を取出口３に案内するように構成される、替芯ケース１では、案内部４（移動部材２０の案内溝２５および案内孔２４）によって収容部２に収容される複数本の芯のうち一本の芯が取出口３に案内されて、芯を取出す姿勢となる。
つまり、替芯ケース１では、芯を取出す姿勢において、収容部２から複数本の芯が同時に取出口３に供給されることがなく、当該複数本の芯が取出口３で詰ることがない。
したがって、替芯ケース１によれば、確実に、収容部２に収容される複数本の芯のうち一本の芯を取出口３から取出すことができる。
【００４０】
図２、図３、図７、または、図８に示すように、替芯ケース１におけるヘッド部材３０の長片体３７は、その先端部が移動部材２０の取出口３側への移動経路上に位置するように構成される。
ヘッド部材３０の長片体３７は、弾性を有し、移動部材２０の突出体２３（押圧部６）を取出口３と反対側に付勢して、取出口３から芯が取出された後に移動部材２０（押圧部６および案内部４）を取出口３側から取出口３の反対側に移動させるように構成される。
替芯ケース１では、ヘッド部材３０の長片体３７が付勢部７として構成される。
そして、替芯ケース１では、取出口３から芯が取出された後に、移動部材２０の他端側の部分（操作部８）を移動部材２０の一端側（取出口３側）に押込む状態が解消されたときに、ヘッド部材３０の長片体３７（付勢部７）によって移動部材２０の突出体２３（押圧部６）が取出口３の反対側に付勢されることから、移動部材２０（押圧部６および案内部４）が取出口３側から取出口３の反対側に移動する。
替芯ケース１では、このように移動部材２０（押圧部６および案内部４）が取出口３側から取出口３の反対側に移動すると、ヘッド部材３０の長片体３７（遮蔽部５）が、変形して移動部材２０の案内溝２５および案内孔２４（案内部４）によって案内される一本の芯の移動経路上に位置し、移動部材２０の案内溝２５および案内孔２４（案内部４）によって一本の芯が取出口３に案内されないように遮蔽する。
【００４１】
以上のように、遮蔽部５として構成されるとともに、押圧部６を付勢して取出口３から芯が取出された後に押圧部６および案内部４を案内部４の取出口３側から取出口３の反対側に移動させる付勢部７として構成される、ヘッド部材３０の長片体３７（片体３６）を備える、替芯ケース１では、ヘッド部材３０の長片体３７によって遮蔽部５と付勢部７とが共通されるため、遮蔽部５と付勢部７とを備える替芯ケース１の全体的な構成をコンパクトに構成することができる。
【００４２】
替芯ケース１のヘッド部材３０の短片体３８は、その先端部が、替芯ケース１の短手方向中央よりも長片体３７側に至らず、替芯ケース１の短手方向中央よりも短片体３８の基端部側に位置するように構成される。
ヘッド部材３０の短片体３８は、その先端部が移動部材２０の取出口３側への移動経路上に位置するように構成される。
【００４３】
替芯ケース１では、移動部材２０の他端側の部分（操作部８）が押込まれて移動部材２０（案内部４および押圧部６）が取出口３側に移動すると、移動部材２０の突出体２３（押圧部６）が短片体３８に当接して短片体３８を押圧することとなる。
替芯ケース１では、ヘッド部材３０の短片体３８が、このように移動部材２０の突出体２３（押圧部６）に押圧されて、湾曲した状態が均されるようにヘッド部材３０の壁体３４側に変形（弾性変形）する。
【００４４】
替芯ケース１におけるヘッド部材３０の短片体３８は、弾性を有し、移動部材２０の突出体２３（押圧部６）を取出口３と反対側に付勢して、取出口３から芯が取出された後に移動部材２０（押圧部６および案内部４）を取出口３側から取出口３の反対側に移動させるように構成される。
替芯ケース１では、ヘッド部材３０の長片体３７に加えて、ヘッド部材３０の短片体３８が付勢部７として構成される。
替芯ケース１では、取出口３から芯が取出された後に、移動部材２０の他端側の部分（操作部８）を移動部材２０の一端側（取出口３側）に押込む状態が解消されたときに、移動部材２０の短片体３８（付勢部７）によって移動部材２０の突出体２３（押圧部６）が取出口３の反対側に付勢されることから、移動部材２０（押圧部６および案内部４）が取出口３側から取出口３の反対側に移動する。
つまり、替芯ケース１では、ヘッド部材３０の長片体３７および短片体３８（付勢部７）が移動部材２０の突出体２３（押圧部６）の両側（左右両側）から突出体２３を付勢して、取出口３から芯が取出された後に移動部材２０（押圧部６および案内部４）を取出口３側から取出口３の反対側に移動させる。
【００４５】
以上のように、ヘッド部材３０の短片体３８に加えて、付勢部７として構成されるヘッド部材３０の短片体３８を備え、付勢部７（ヘッド部材３０の長片体３７および短片体３８）が、移動部材２０の突出体２３（押圧部６）の両側から突出体２３（押圧部６）を付勢して、取出口３から芯が取出された後に押圧部６および案内部４（移動部材２０）を取出口３側から取出口３の反対側に移動させるように構成される、替芯ケース１では、付勢部７（ヘッド部材３０の長片体３７および短片体３８）が、移動部材２０の突出体２３（押圧部６）の両側から突出体２３（押圧部６）を付勢することから、押圧部６および案内部４（移動部材２０）を取出口３側から取出口３の反対側に移動させる動作を安定させることができる。
【００４６】
また、案内部４として構成されるものであり、収容部２内と収容部２外とを連通させるように構成されるとともに収容部２に収容される複数本の芯のうち一本の芯が挿通可能に構成される案内孔２４（移動部材２０の案内孔２４）を備える、替芯ケース１では、収容部２に収容される複数本の芯のうち一本の芯を、移動部材２０の案内孔２４（案内孔２４）に挿通させて取出口３に案内する。
したがって、替芯ケース１によれば、確実に、収容部２に収容される複数本の芯のうち一本の芯を取出口３に案内することができる。
【００４７】
また、移動部材２０の案内孔２４に加えて案内部４として構成されるものであり、収容部２内において収容部２に収容される複数本の芯のうち一本の芯を配置可能に構成され、一本の芯を配置した状態で案内孔２４を介して取出口３側に移動可能に構成される、案内溝２５（移動部材２０の案内溝２５）を備える、替芯ケース１では、収容部２に収容される複数本の芯のうち一本の芯を、移動部材２０の案内溝２５（案内部４）に配置し、取出口３側に移動させて移動部材２０の案内孔２４（案内部４）に挿通させ、取出口３に案内する。
したがって、替芯ケース１によれば、より確実に、収容部２に収容される複数本の芯のうち一本の芯を取出口３に案内することができる。
【００４８】
替芯ケース１の取出口３（ヘッド部材３０の切欠３５）と移動部材２０の案内孔２４とを結ぶ直線と、移動部材２０の移動方向と、が平行するように、取出口３（ヘッド部材３０）と移動部材２０とが配置されて構成される。
移動部材２０は、案内溝２５に配置される一本の芯の軸心と平行して取出口３側に移動するように構成される。
取出口３（ヘッド部材３０の切欠３５）は、移動部材２０の案内溝２５の軸心（案内溝２５に配置される芯の軸心）の延長線上に位置するように構成される。
このように、移動部材２０が案内溝２５に配置される一本の芯の軸心と平行して取出口３側に移動するように構成され、取出口３（ヘッド部材３０の切欠３５）が移動部材２０の移動部材２０の案内溝２５の軸心（案内溝２５に配置される芯の軸心）の延長線上に位置するように構成される、替芯ケース１では、軸心と平行するように一本の芯を取出口３側に移動させ、芯の向き（芯の軸心の角度）を変更せずに取出口３から一本の芯を取出すことができる。
したがって、替芯ケース１によれば、確実に一本の芯を取出口３に案内することができ、また、当該案内された一本の芯を取出口３から取出す動作を容易に行うことができる。
【００４９】
また、取出口３側に移動したときに、移動部材２０の突出体２３の先端（案内溝２５の先端（案内溝２５の取出口３側端））が取出口３近傍に位置するように構成される移動部材２０を備える、替芯ケース１では、移動部材２０が取出口３側に移動したときに、一本の芯を取出口３近傍まで移動（案内）させることができる。
したがって、確実に一本の芯を取出口３に案内することができる。
【００５０】
なお、替芯ケース１のヘッド部材３０の片体３６（長片体３７および短片体３８）は、移動部材２０の突出体２３（押圧部６）に押圧されたときにヘッド部材３０の壁体３４側に変形し、且つ、移動部材２０の突出体２３（押圧部６）に押圧が解消されたときに移動部材２０を取出口３の反対側に移動させるように突出体２３側に変形するような弾性を有して構成される。
【符号の説明】
【００５１】
１    替芯ケース
２    収容部
３    取出口
４    案内部
５    遮蔽部
６    押圧部
７    付勢部
８    操作部
１０  ケース部材
２０  移動部材
２１  底板
２２  枠体
２３  突出体
２４  案内孔
２５  案内溝
３０  ヘッド部材
３５  切欠
３６  片体
３７  長片体
３８  短片体
【図１】
2014162158.tif 000003
【図２】
2014162158.tif 000004
【図３】
2014162158.tif 000005
【図４】
2014162158.tif 000006
【図５】
2014162158.tif 000007
【図６】
2014162158.tif 000008
【図７】
2014162158.tif 000009
【図８】
2014162158.tif 000010